(57)【特許請求の範囲】
【請求項１】
表面側にドットマトリクス状に表示部が設けられる表示パネルと、該表示パネルの裏面側に設けられる制御回路および電源入力端子と、前記表示パネルの裏面側に設けられ、該表示パネルを筐体に取り付ける取付軸とを有するドットマトリクスモジュールであって、前記取付軸が前記電源入力端子の機能を有し、前記取付軸が前記筐体側の電源供給バーに取り付けられることにより、前記表示パネルが前記筐体に固定されると共に、前記電源入力端子が電源供給ラインに電気的に接続される構造のドットマトリクスモジュール。
【請求項２】
前記表示部が発光ダイオードからなり、前記電源入力端子が前記発光ダイオード点灯用の電源入力端子の組と、前記制御回路用の電源入力端子の組に分けて形成されてなる請求項１記載のドットマトリクスモジュール。
【請求項３】
前記取付軸の中心部に雌ネジが形成されており、前記電源供給バーを挟んでネジ締めにより前記表示パネルが前記筐体に取り付けられる構造である請求項１または２記載のドットマトリクスモジュール。
【発明の詳細な説明】
【０００１】
【発明の属する技術分野】
本発明は発光ダイオードや液晶表示素子を用いて表示部がマトリクス状に形成されるドットマトリクスモジュールに関する。さらに詳しくは、ドットマトリクスモジュールを何個も並べて筐体に取り付け、大型の表示装置を構成する場合に、筐体への取付けおよび電源の供給を簡単に行うことができるドットマトリクスモジュールに関する。
【０００２】
【従来の技術】
従来のドットマトリクスモジュール２０は、たとえば図３にその一例の筐体への取付前および取付後の側面図が示されるように、基板２１の表面側にたとえば発光ダイオード（以下ＬＥＤという）２２がマトリクス状に並べられ、基板２１の裏面に図示しない制御回路が形成されると共に、各ＬＥＤ２２への電源供給用端子および図示しない制御回路への電源供給端子などが集められたソケット２３が設けられると共に、筐体２６への取付軸２４が４隅に設けられている。筐体２６側には、電源供給ラインである電源供給バー（通称ブスバー）２７が絶縁体２８などを介して図の紙面に垂直方向に延びて設けられている。そして、前述のモジュール２０がネジ２９の取付軸２４へのねじ込みにより取り付けられると共に、一端側にソケット３０ａを有し、他端側に各リード線ごとに接続金具３０ｂを有する電源ハーネス３０が、ソケット３０ａ側はモジュール２０のソケット２３に差し込まれ、接続金具３０ｂ側は電源供給バー２７にネジ３１により固定されることにより、その筐体２６への取付けおよび電源供給ラインとの電気的接続がなされている。
【０００３】
このモジュール２０は、図４に正面図の一部が示されるように、前述のブスバー２７の延びる方向に何個も並んで配列され、さらに縦方向にも同様に並べられることにより、横方向または縦横にモジュール２０が並んだ大型の表示装置が構成される。
【０００４】
【発明が解決しようとする課題】
前述のように、従来のドットマトリクスモジュールは、取付軸を介して筐体に取り付けられると共に、電源ハーネスをドットマトリクスモジュールのソケットに接続してその反対側のリード線の接続金具を筐体側の電源供給ラインに接続しなければならない。そのため、ドットマトリクスモジュールを多数個並べて配置し大型の表示装置を構成する場合に、取付けおよび電源の配線作業に非常に長時間を要し、コストアップの原因になっている。
【０００５】
本発明は、このような問題を解決するためになされたもので、ドットマトリクスモジュールを多数個配列して大型の表示装置を構成する場合や、大型表示装置の一部のモジュールを交換する場合に、その取付けおよび配線作業が簡単なドットマトリクスモジュールを提供することを目的とする。
【０００６】
【課題を解決するための手段】
本発明によるドットマトリクスモジュールは、表面側にドットマトリクス状に表示部が設けられる表示パネルと、該表示パネルの裏面側に設けられる制御回路および電源入力端子と、前記表示パネルの裏面側に設けられ、該表示パネルを筐体に取り付ける取付軸とを有するドットマトリクスモジュールであって、前記取付軸が前記電源入力端子の機能を有し、前記取付軸が前記筐体側の電源供給バーに取り付けられることにより、前記表示パネルが前記筐体に固定されると共に、前記電源入力端子が電源供給ラインに電気的に接続される構造になっている。
【０００７】
この構造にすることにより、ドットマトリクスモジュールの取付と電源供給のための配線の接続の作業を別々に行わなくても、モジュールをネジなどにより筐体側の電源供給バーに取り付けるだけで固定と配線とが同時に行われる。
【０００８】
前記表示部が発光ダイオードからなり、前記電源入力端子が前記発光ダイオード点灯用の電源入力端子の組と、前記制御回路用の電源入力端子の組に分けて形成されている場合でも、４個の取付軸を利用することにより、４か所の固定でしっかりと固定されると共に、ＬＥＤ駆動用電源と制御回路用電源とを別のラインにより供給することができるため、ＬＥＤ駆動用電源からのノイズが制御回路側にのることがなく、表示装置の信頼性を高くすることができる。
【０００９】
前記取付軸の中心部に雌ネジが形成されており、前記電源供給バーを挟んでネジ締めにより前記表示パネルが前記筐体に取り付けられる構造であれば、金属製のビスをねじ込むだけで簡単に固定できると共に、電気的に接続される。
【００１０】
【発明の実施の形態】
つぎに、図面を参照しながら本発明のドットマトリクスモジュールについて説明をする。
【００１１】
本発明のドットマトリクスモジュールは、図１にその裏面側を主とした斜視説明図が示されるように、表面側に縦横のマトリクス状に表示部１２が設けられることにより表示パネル１１が形成され、その表示パネル１１の裏面側には図示しない制御回路および電源入力端子１３ａ〜１３ｄが設けられている。そして、その電源入力端子１３ａ〜１３ｄと電気的に接続されるように導電性の取付軸４が設けられている。そのため、この取付軸４は、それぞれ電気的に接続された電源入力端子１３ａ〜１３ｄの機能も有している。その結果、図２にこのモジュール１が筐体６に取り付けられた状態の側面図が示されるように、取付軸４が筐体６側の電源供給バー７に取り付けられることにより、表示パネル１１が筐体６に固定されると共に、電源入力端子１３ａ〜１３ｄ（図１参照）が筐体６側の電源供給ライン（電源供給バー７）に電気的に接続される構造になっている。
【００１２】
表示パネル１１は、その表面側にたとえばＬＥＤ１２が１６×１６個または２４×２４個設けられており、それぞれのＬＥＤ１２が各画素を構成し、それぞれのオンオフが制御されて文字や図形を表示できる構成になっている。そのオンオフを制御する制御回路（ロジック回路）がＩＣなどにより表示パネル１１の裏面に形成されると共に、各ＬＥＤを駆動する駆動回路が抵抗などにより形成されているが、その回路部分は図示されていない。そして、ＬＥＤ１２に電源を供給するための電源入力端子１３ａ、１３ｂおよび制御回路（ロジック回路）に電源を入力するための電源入力端子１３ｃ、１３ｄがそれぞれ表示パネル１１の裏面に設けられている。前述の  ＬＥＤ駆動回路の入力側がこれらの電源入力端子１３ａ〜１３ｂに接続され、制御回路の入力側が電源入力端子１３ｃ〜１３ｄに接続されている。そして文字を表示する場合、たとえばこの１個のモジュールにより、通常１字を表示するように構成され、表示物に応じてこのモジュールが横に、または縦横に多数個並べられて大型のドットマトリクス表示装置が構成される。
【００１３】
表示部１２は、図に示される例では、ＬＥＤチップの周囲に反射板を有するチップ型のＬＥＤの例が示されているが、正面に指向性の強い表示装置が要求される場合には、チップ型のＬＥＤに代えて、ドーム状のパッケージによりＬＥＤチップが被覆されたランプ型ＬＥＤを使用することもできる。また、ＬＥＤを並べる代りに表示パネルを液晶パネルで構成し、液晶パネルの各画素をオンオフさせる表示部としてもよい。
【００１４】
取付軸４は、黄銅などの導電体からなる円柱体のものが使用され、電源入力端子１３ａ〜１３ｄとハンダ付けなどにより電気的に接続されている。この場合、中心部に雌ネジ（タップ）４ａが切られた構造のものにすることにより、導電性のネジをねじ込むだけで取付軸４を固定できると共に、電気的に接続することができるため、とくに好ましい。
【００１５】
つぎに、このモジュール１をドットマトリクス表示装置に取り付ける方法を図２を参照しながら説明する。
【００１６】
筐体６は、ＳＰＣＣなどの金属製からなり、ドットマトリクスモジュール１を何個も並べて取り付けることにより大型の表示装置を構成すると共に、各モジュール１に電源および駆動信号を供給するもので、筐体６にはＬＥＤや制御回路を駆動するための電源を供給する電源供給バー７が筐体６に絶縁体からなる支持体８により固定されている。図２において、筐体６および電源供給バー７は、紙面に垂直方向に延びている。この電源供給バー７は、ＬＥＤ駆動用の正と負の２本、制御回路駆動用の正と負の２本の合計４本が支持体８を介して筐体６に取り付けられている。しかし、負側をアースとして共通にすることもできる。なお、支持体８は、図２に示される例では、断面形状がコ字型のものが用いられているが、前述の図３に示されるように電源供給バー７と筐体６との間に直接介在させる構造のものでもよいことは言うまでもない。
【００１７】
この電源供給バー７が取り付けられている筐体６に、モジュール１の取付軸４が図示しない絶縁スペーサを介して、または空間を介して、電源供給バー７側からネジ９により直接取付軸４の雌ネジ４ａにねじ込むことにより固定される。なお、ネジ９が筐体６と接触しないように、筐体６にスルーホールが形成されている。この取付軸４とそれぞれ接続する電源供給バー７との間で、ネジ９による締付けを行うことにより、モジュール１が筐体６に対してしっかりと固定されると共に、ネジ９および取付軸４を介して電源供給バー７および電源入力端子１３ａ〜１３ｄとの間が電気的に接続される。
【００１８】
従来のドットマトリクスモジュールでは、その裏面側に筐体への取付軸および電源供給用の電源ハーネスがコネクタを介して接続する構造になっていたものが、本発明によれば、取付軸に電源入力端子の機能をもたせて、筐体側の電源供給バーの位置に合せて取付軸が設けられているため、電源供給バーとモジュールの取付軸との間をネジにより固定するだけで、モジュールの取付と電源入力端子への電気的接続の両方を同時に行うことができる。その結果、モジュールを何個も並べて取り付けたり、取換えなどをする作業が非常に容易になり、大型の表示装置の組立工数が大幅に低下すると共に、配線を束ねた電源ハーネスによる接続を必要としないため、配線の信頼性が非常に向上する。
【００１９】
【発明の効果】
本発明によれば、ドットマトリクスモジュールの取付軸にネジをねじ込むだけで、簡単にモジュールを取り付けられると共に、電源入力端子と筐体側の電源供給バーとを電気的に接続することができるため、非常に取付作業が簡素化される。しかも、配線の接続が確実になり、非常に信頼性が向上する。
【図面の簡単な説明】
【図１】本発明のドットマトリクスモジュールの一実施形態の説明図である。
【図２】図１のモジュールを筐体に取り付けた状態の側面説明図である。
【図３】従来のドットマトリクスモジュールを筐体に取り付けた状態の説明図である。
【図４】ドットマトリクスモジュールを横に並べた状態の説明図である。
【符号の説明】
１    モジュール
４    取付軸
６    筐体
７    電源供給バー
１１    表示パネル
１２    ＬＥＤ（表示部）
１３ａ〜１３ｄ    電源入力端子
【図１】
0003839595.tif 000002
【図２】
0003839595.tif 000003
【図３】
0003839595.tif 000004
【図４】
0003839595.tif 000005